【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
課金処理装置を備えており、物理量供給装置から所定の物理量を受給し、物理量によって駆動され得る物理量受給装置であって、
課金処理装置は、
物理量を受給する受給部、
物理量を受給しているとき、対価の支払い義務が発生していることを使用者に知らせ、物理量の受給を続けるか否かを使用者に問い合わせる通知部、
物理量の受給を受けるか否か、及び、物理量の受給を続けるか否かを入力する入力部、
通知部の通知内容、及び、入力部における入力内容を表示する表示部、並びに、
単位時間経過後、又は、単位物理量を受給した後、単位時間当たりの物理量の対価、又は、単位物理量に対する対価を、電子マネーによって支払う対価支払い部、
を備えている物理量受給装置。
【請求項２】
物理量は電力である請求項１に記載の物理量受給装置。
【請求項３】
受給部と嵌合する供給部を備えた物理量供給装置は、物理量受給装置に専用の装置である請求項１又は請求項２に記載の物理量受給装置。
【請求項４】
物理量は電力であり、
電力線通受信部及び通信フィルタを更に備えており、
通信フィルタは、受給部と電力線通受信部との間に配設され、少なくとも電力の周波数を有する信号を遮断し、第１の高周波信号及び第２の高周波信号を遮断せず、
電力線通受信部は、通信フィルタ及び供給部を介して、電力の周波数よりも高い周波数を有する第１の高周波信号を物理量供給装置から受け取り、
電力線通受信部は、第１の高周波信号に基づき電力を生成し、負荷変調によって識別情報としての第２の高周波信号を生成し、
通信フィルタ及び受給部を介して、電力線通受信部は第２の高周波信号を物理量供給装置に送出する請求項１乃至請求項３のいずれか１項に記載の物理量受給装置。
【請求項５】
物理量は、ヘッダ部及びペイロードを備えたパケット構造体から構成されており、
ヘッダ部には、物理量受給装置に関する情報が含まれており、
ヘッダ部に含まれる物理量受給装置に関する情報に基づき、物理量の受給の可否を決定する請求項１又は請求項２に記載の物理量受給装置。
【請求項６】
携帯電話、スマートフォン、カーナビゲーション装置、タブレット端末、パーソナル・デジタル・アシスト、携帯音楽プレーヤー、携帯ビデオプレーヤー、携帯ゲーム機、パーソナルコンピュータ、又は、電気自動車である請求項１乃至請求項５のいずれか１項に記載の物理量受給装置。
【請求項７】
課金処理装置を備えており、物理量受給装置を駆動するために所定の物理量を物理量受給装置に供給する物理量供給装置であって、
課金処理装置は、
物理量を供給する供給部、
物理量を供給しているとき、対価の支払い義務が発生していることを使用者に知らせ、物理量の供給を続けるか否かを使用者に問い合わせる通知部、並びに、
単位時間経過後、又は、単位物理量を供給した後、電子マネーによる単位時間当たりの物理量の対価の支払い、又は、電子マネーによる単位物理量に対する対価の支払いを物理量受給装置に要求する対価決済部、
を備えている物理量供給装置。
【請求項８】
物理量の供給を受けるか否か、及び、物理量の供給を続けるか否かを入力する入力部を更に備えている請求項７に記載の物理量供給装置。
【請求項９】
通知部の通知内容、及び、入力部における入力内容を表示する表示部を更に備えている請求項８に記載の物理量供給装置。
【請求項１０】
通知部の通知内容を物理量受給装置に送出し、物理量の供給を受けるか否か及び物理量の供給を続けるか否かという物理量受給装置における入力内容を受け取る通信部を更に備えている請求項７に記載の物理量供給装置。
【請求項１１】
物理量は電力である請求項７乃至請求項１０のいずれか１項に記載の物理量供給装置。
【請求項１２】
物理量供給装置は、供給部と嵌合する受給部を備えた物理量受給装置に対する専用の装置である請求項７乃至請求項１１のいずれか１項に記載の物理量供給装置。
【請求項１３】
物理量は電力であり、
電力線通受信部及び通信フィルタを更に備えており、
通信フィルタは、供給部と電力線通受信部との間に配設され、少なくとも電力の周波数を有する信号を遮断し、第１の高周波信号及び第２の高周波信号を遮断せず、
電力線通受信部は、通信フィルタ及び供給部を介して、電力の周波数よりも高い周波数を有する第１の高周波信号を物理量受給装置に送出し、
物理量受給装置において、第１の高周波信号に基づき生成された電力に基づき、負荷変調によって識別情報として生成された第２の高周波信号を、供給部及び通信フィルタを介して、電力線通受信部は受け取る請求項７乃至請求項１２のいずれか１項に記載の物理量供給装置。
【請求項１４】
物理量は、ヘッダ部及びペイロードを備えたパケット構造体から構成されており、
ヘッダ部には、物理量受給装置に関する情報が含まれており、
物理量受給装置に関する情報を含むヘッダ部及びペイロードを物理量受給装置に送出する請求項７乃至請求項１３のいずれか１項に記載の物理量供給装置。
【請求項１５】
ヘッダ部に含まれる物理量受給装置に関する情報に基づく物理量受給装置への物理量の供給の可否の決定を物理量受給装置から受け取り、物理量の供給が可である決定の場合、物理量の供給を行う請求項１４に記載の物理量供給装置。
【請求項１６】
所定の物理量を受給する物理量受給装置は、携帯電話、スマートフォン、カーナビゲーション装置、タブレット端末、パーソナル・デジタル・アシスト、携帯音楽プレーヤー、携帯ビデオプレーヤー、携帯ゲーム機、パーソナルコンピュータ、又は、電気自動車である請求項７乃至請求項１５のいずれか１項に記載の物理量供給装置。
【請求項１７】
所定の物理量を受給する物理量受給方法であって、
物理量を受給しているとき、対価の支払い義務が発生していることを使用者に知らせ、物理量の受給を続けるか否かを使用者に問い合わせ、
物理量の受給を続ける場合、単位時間経過後、又は、単位物理量を受給した後、単位時間当たりの物理量の対価、又は、単位物理量に対する対価を、電子マネーによって支払う物理量受給方法。
【請求項１８】
所定の物理量を供給する物理量供給方法であって、
物理量を供給しているとき、対価の支払い義務が発生していることを使用者に知らせ、物理量の供給を続けるか否かを使用者に問い合わせ、
物理量の供給を続ける場合、単位時間経過後、又は、単位物理量を供給した後、電子マネーによる単位時間当たりの物理量の対価の支払い、又は、電子マネーによる単位物理量に対する対価の支払いを要求する取る物理量供給方法。
【請求項１９】
課金処理装置を備え、物理量供給装置から所定の物理量を受給し、物理量によって駆動され得る物理量受給装置において、課金処理装置における処理を行うための物理量受給プログラムであって、
物理量を受給しているとき、対価の支払い義務が発生していることを使用者に知らせ、物理量の受給を続けるか否かを使用者に問い合わせ、
物理量の受給を続ける場合、単位時間経過後、又は、単位物理量を受給した後、単位時間当たりの物理量の対価、又は、単位物理量に対する対価を、電子マネーによって支払う物理量受給プログラム。
【請求項２０】
課金処理装置を備え、物理量受給装置を駆動するために所定の物理量を物理量受給装置に供給する物理量供給装置において、課金処理装置における処理を行うための物理量供給プログラムであって、
物理量を供給しているとき、対価の支払い義務が発生していることを使用者に知らせ、物理量の供給を続けるか否かを使用者に問い合わせ、
物理量の供給を続ける場合、単位時間経過後、又は、単位物理量を供給した後、電子マネーによる単位時間当たりの物理量の対価の支払い、又は、電子マネーによる単位物理量に対する対価の支払いを要求する物理量供給プログラム。